(57)【特許請求の範囲】
【請求項１】
遊技球が流下する遊技盤の中央に設置される装飾部を備え、
前記装飾部は、透光性の樹脂から形成され、上方から落下する遊技球を一旦受け止めてから入賞器具に落下させる平板状のステージを有し、
前記ステージは、遊技機の上方から見た場合において、当該ステージの表面に遊技球が落下する一方、当該ステージの裏面に遊技球が接触しないように、ステージの表面を上方に向けて配置され、
前記遊技機の上方から見た場合において、前記ステージの裏面には、顔料を含有しない第１のコーティング塗膜が塗布され、当該第１のコーティング塗膜の裏面にメタリック顔料を含有する第１のメタリック塗膜が塗布され、当該第１のメタリック塗膜の裏面にメタリック顔料とは異なる顔料を含有する第１のベース塗膜が塗布されており、
前記遊技機の上方から見た場合において、前記ステージの表面には、前記第１のベース塗膜が含有する顔料を含有する第２のベース塗膜が塗布され、当該第２のベース塗膜の表面に前記第１のメタリック塗膜が含有するメタリック顔料を含有する第２のメタリック塗膜が塗布され、当該第２のメタリック塗膜の表面に、顔料を含有しない第２のコーティング塗膜が塗布される遊技機。
【請求項２】
前記装飾部の裏面には、ボルト孔が形成されており、当該ボルト孔に螺合させたボルトを介して、ＬＥＤが実装された電飾基板に固定される請求項１に記載の遊技機。
【発明の詳細な説明】
【０００１】
【発明の属する技術分野】
本発明は、遊技機に関するものである。
【０００２】
【従来の技術】
一般に、パチンコ機やアレンジボール機に代表されるこの種の遊技機においては、使用者に対して見映えをよくするために、遊技機構成部材、特に遊技盤に取着される役物等に塗装処理がなされている。従来、このような塗装処理の１つとして、重金属メッキ塗膜を施したものが知られている。即ち、合成樹脂にて形成された遊技機構成部材、特に役物等（以下、「被塗装部材」という。）の表面側には光沢をおびた重金属メッキ塗膜が塗布されている。この結果、それらの被塗装部材が持つ金属光沢により遊技機には高級感が付与されてパチンコ店のホール内に並べられる。
【０００３】
【発明が解決しようとする課題】
ところが、近時においては、パチンコ機を代表とする遊技機における役物等の商品サイクルが早く、短いものだと数ヶ月でその商品価値がなくなってしまう。この結果、遊技機内に装備されていた前記被塗装部材についても、そのリサイクルが切望されるようになっている。しかしながら、従来、前記重金属メッキ塗膜と合成樹脂にて形成された被塗装部材との分離には困難が伴うため、重金属メッキ塗膜が施された被塗装部材は廃棄するしかないという問題があった。
【０００４】
本発明は上記した問題を解決するためになされたものであり、その目的は、意匠的な高級感を維持できる一方、リサイクル性の向上した遊技機を提供することにある。
【０００５】
【課題を解決するための手段】
上記問題点を解決するために、請求項１に記載の発明は、遊技球が流下する遊技盤の中央に設置される装飾部を備え、前記装飾部は、透光性の樹脂から形成され、上方から落下する遊技球を一旦受け止めてから入賞器具に落下させる平板状のステージを有し、前記ステージは、遊技機の上方から見た場合において、当該ステージの表面に遊技球が落下する一方、当該ステージの裏面に遊技球が接触しないように、ステージの表面を上方に向けて配置され、前記遊技機の上方から見た場合において、前記ステージの裏面には、顔料を含有しない第１のコーティング塗膜が塗布され、当該第１のコーティング塗膜の裏面にメタリック顔料を含有する第１のメタリック塗膜が塗布され、当該第１のメタリック塗膜の裏面にメタリック顔料とは異なる顔料を含有する第１のベース塗膜が塗布されており、前記遊技機の上方から見た場合において、前記ステージの表面には、前記第１のベース塗膜が含有する顔料を含有する第２のベース塗膜が塗布され、当該第２のベース塗膜の表面に前記第１のメタリック塗膜が含有するメタリック顔料を含有する第２のメタリック塗膜が塗布され、当該第２のメタリック塗膜の表面に、顔料を含有しない第２のコーティング塗膜が塗布されることを要旨とする。
【０００６】
請求項２に記載の発明は、請求項１に記載の遊技機において、前記装飾部の裏面には、ボルト孔が形成されており、当該ボルト孔に螺合させたボルトを介して、ＬＥＤが実装された電飾基板に固定されることを要旨とする。
【００１０】
【発明の実施の形態】
（第１の実施形態）
以下、本発明をパチンコ機及びその構成部材に具体化した一実施形態を図１〜図４に従って説明する。
【００１１】
本実施形態のパチンコ機は、その基本的構成の概要として、図１に略示するように、機体の外郭をなす縦長方形の外枠１１の開口前面側に、搭載枠とも称される縦長方形の前枠１２が開閉及び着脱可能に取付けられている。前記前枠１２は合成樹脂にて形成され、各種の遊技機構成部材をセットしている。そして、この前枠１２の前面側には遊技領域となる遊技盤１３の透視保護窓である窓枠１４と上球皿カバー部材１５にて覆われた上球皿１６とが個々の連結支持手段等を利用して共に横開き形態で開閉可能に組付けされている。一方、前枠１２の下部には下球皿カバー部材１７にて覆われた下球皿１８及び打球発射装置１９等が装着セットされている。また、前枠１２の裏側には各種の球経路及び球処理・払出部等を備えた機構セット盤（図示しない）がセットされている。尚、前記窓枠１４の枠本体１４ａ、上球皿カバー部材１５、下球皿カバー部材１７は合成樹脂にて形成されている。
【００１２】
図２に示すように、前記遊技盤１３の略中央部には、映像表示装置２０が設けられており、同映像表示装置２０の上方には、円形状の案内レールから発射されるパチンコ球２１を任意の方向へ受け流すランプ風車２２が設けられている。また、前記映像表示装置２０の下方には各種の入賞器具２３が設けられている。そして、前記ランプ風車２２及び入賞器具２３は合成樹脂にて形成されている。
【００１３】
図３及び図４に示すように、映像表示装置２０はこの映像表示装置２０の後側に設置される表示ユニット（図示しない）で表示される映像を透視するための映像表示部２５と矩形状の同映像表示部２５の周縁に亘って形成された遊技機構成部材の１つである装飾部２６とから構成されている。前記装飾部２６は例えば、ポリカーボネイド又はＡＢＳ樹脂等の合成樹脂にて形成されており、その下部には、上方から落ちてきたパチンコ球２１を一旦受止めて、映像表示装置２０の鉛直下方に位置する入賞器具２３に落球するステージ２７が設けられている。前記装飾部２６は図４に示すように、その裏面に複数のボス部２８（図４においては、１つのみ図示。）が一体形成されており、同ボス部２８のボルト孔２９に螺合されるボルト３０を介して前記装飾部２６とＬＥＤ等が実装される電飾基板２４が固定されている。また、装飾部２６の前面の所定位置には、色入れ用凹部３１が設けられている。前記装飾部２６にはその表面全体に亘って（図４においては、ステージ２７部分のみ図示。）ベース塗膜３２及びメタリック塗膜３３並びにコーティング塗膜３４の三層からなる塗膜層３５が、前記装飾部２６の表面側からベース塗膜３２、メタリック塗膜３３、コーティング塗膜３４という順で上塗り形成されている。そして、前記色入れ用凹部３１におけるコーティング塗膜３４の表面には、前記装飾部２６の意匠効果を増すために、所定の着色塗料３７が塗布されている。尚、図４に示す各塗膜３２，３３，３４の厚さは理解を容易にするために誇張して表現している。
【００１４】
次に、本実施形態における前記三層構造の塗膜層３５について説明すると、前記ベース塗膜３２は黒色の顔料及び硬化剤並びにシンナーが含まれる塗料（本実施形態では、アサヒペンの「オレフィックスＰＮＯ．５０００（黒色）」として市販されている塗料を使用している。以下、「第１オレフィックス」という。）にて形成されている。また、前記メタリック塗膜３３はメタリック顔料としてのアルミニウム、銅又は、合金等の金属のフレーク状粉末が含まれるメッキ調塗料（本実施形態では、アサヒペンの「オレフィックスＰＮＯ．９１００ＡＫシルバーベース」として市販されている塗料を使用している。以下、「第２オレフィックス」という。）にて形成されている。そして、前記コーティング塗膜３４は顔料が含まれず、硬化剤及びシンナーが含まれる塗料（本実施形態では、アサヒペンの「ソレフィックスＮＯ．５００ＴＫ−１クリヤー」として市販されている塗料を使用している。以下、「ソレフィックス」という。）にて形成されている。
【００１５】
次に  装飾部２６に対して前記三層構造の塗膜層３５を形成する塗装処理方法について説明する。
まず、装飾部２６の表面に対して黒色の顔料が含まれている第１オレフィックスをスプレーにて吹付けし、所定時間乾燥させることにより含有されているシンナーを蒸発させる。このように、ベース塗膜３２を形成した後、金属のフレーク状粉末が含まれている第２オレフィックスを前記ベース塗膜３２の表面にスプレーにて吹付けし、所定時間乾燥させることによりメタリック塗膜３３を上塗り形成する。その後、ソレフィックスをメタリック塗膜３３の表面にスプレーで吹付け、所定時間乾燥させ、シンナーを蒸発させることによりコーティング塗膜３４を上塗り形成する。そして、前記装飾部２６の前面における色入れ用凹部３１が形成されているコーティング塗膜３４の表面に色入れを行う。
【００１６】
このように、塗膜層３５の塗装処理が行われた装飾部２６は、金属のフレーク状粉末が含まれるメタリック塗膜３３により、光輝性を有するものとなり、前記ベース塗膜３２に含まれる黒色の顔料により、メタリック塗膜３３の光沢感と重なり、重厚感のある金属調が得られたものになる。そして、コーティング塗膜３４により、メタリック塗膜３３が保護された状態になり、パチンコ球２１の接触等の理由により同メタリック塗膜３３が剥がれ落ちることは抑制される。ここで、前記塗装処理は装飾部２６の表面に施されているため、裏面に誤ってスプレーが吹き掛かっても遊技者からは見えないため、いちいち裏面にマスク処理をする必要がない。
【００１７】
次いで、装飾部２６の使用期間が終わり、リサイクルされる場合については、前記塗膜層３５が形成されている装飾部２６の表面をシンナー系の有機溶剤にて拭き取る。ここで、装飾部２６に形成された各塗膜３２，３３，３４はメッキ塗膜とは異なり、シンナー系の溶剤にて溶融し、合成樹脂にて形成されている装飾部２６から容易に除去される。そして、各塗膜３２，３３，３４が除去された装飾部２６は溶融されることで合成樹脂原材料とされ、その原材料を再成形することにより新規部品として再利用が可能となる。また、一方で各塗膜３２，３３，３４が除去された装飾部２６に別の新しい塗膜層３５を形成することにより装飾部２６の再利用が可能ともなる。
【００１８】
従って、上記実施形態によれば、以下のような効果を得ることができる。
（１）上記実施形態では、ベース塗膜３２及びメタリック塗膜３３並びにコーティング塗膜３４による塗装処理は、メッキ塗膜と異なり、シンナー系の有機溶剤を使用することにより合成樹脂にて形成されている装飾部２６から容易に分離可能であるため、塗膜層３５が除去された装飾部２６を溶融し合成樹脂原材料とすることで別の新規部品として再利用をすることができると共に、塗膜層３５が除去された装飾部２６に別の新しい塗膜層３５を形成することで、他の遊技機に使用する装飾部２６として再利用することができる。
【００１９】
（２）上記実施形態では、装飾部２６には金属のフレーク状粉末が含まれるメタリック塗膜３３が塗布されているため、前記装飾部２６はメッキ塗膜と比べて見劣りしない位の光沢感が得られ、意匠的な高級感を得ることができる。
【００２０】
（３）上記実施形態では、メタリック塗膜３３の裏側には黒色の顔料が含まれるベース塗膜３２が介装されているため、ベース塗膜３２により着色された黒色にメタリック塗膜３３の光輝性が重なり、見た目に金属光沢がでやすく重厚感を得ることができる。従って、さらに意匠的な高級感を得ることができる。
【００２１】
（４）上記実施形態では、三層よりなる塗膜層３５の表層には、コーティング塗膜３４が形成されているため、メタリック塗膜３３が剥げ落ちることを抑制できる。
【００２２】
（５）上記実施形態では、装飾部２６の表面側にベース塗膜３２及びメタリック塗膜３３並びにコーティング塗膜３４という順で塗膜層３５を形成しているため、その金属調の色合がはっきりと且つきれいに遊技者側から見ることができる。
【００２３】
（６）上記実施形態では、装飾部２６の表面側に塗膜処理がされるため、その処理工程において、裏面側にマスク処理をする必要がない。
（第２の実施形態）
次に、本発明の第２の実施形態を図５に基づいて説明する。
【００２４】
尚、以下の実施形態においては、既に説明した実施形態の構成と同一構成又は相当する構成については、同一番号を付しその重複説明を省略する。
本実施形態においては、図５に示すように、装飾部２６は透光性の合成樹脂にて形成されており、その裏面には別部材にて構成されたボス部２８が接着剤等により固着されている。色入れ用凹部３１は前記装飾部２６の後面に設けられており、同凹部３１には所定の着色塗料３７による色入れが施されている。そして、前記ボス部２８と装飾部２６の裏面とを介在して、且つ装飾部２６の裏面全体に亘って、ベース塗膜３２及びメタリック塗膜３３並びにコーティング塗膜３４からなる三層構造の塗膜層３５が装飾部２６の裏面側からコーティング塗膜３４、メタリック塗膜３３、ベース塗膜３２の順で上塗り形成されている。そして、本実施形態においては、装飾部２６により塗膜層３５を保護する保護部材が構成されている。
【００２５】
次に、本実施形態の塗装処理方法を説明する。
まず、装飾部２６の表面に対してマスク処理をし、表面に塗膜３２，３３，３４が塗布されないようにする。次いで、色入れ用凹部３１に色入れを行う。その後、装飾部２６の裏面にソレフィックスをスプレーで吹付け、コーティング塗膜３４を形成する。次いで、第２オレフィックスをスプレーで吹付けて、メタリック塗膜３３を上塗り形成する。そして、その後に第１オレフィックスをスプレーで吹付けることにより、ベース塗膜３２を上塗り形成する。そして、装飾部２６の裏面に塗膜層３５を形成した後に、ボス部２８を固着させる。
【００２６】
従って、本実施形態によれば、前記第１の実施形態における（１）〜（３）、（５）に記載の効果に加えて、各塗膜３２，３３，３４は装飾部２６の裏面に塗布されているため、パチンコ球２１が装飾部２６、特にステージ２７を通過する場合でも、同パチンコ球２１は塗膜層３５に触れることがない。従って、前記塗膜層３５が剥がれるおそれはない。また、装飾部２６は透光性を有する合成樹脂であるため、機表側から前記装飾部２６を介してメタリックの色調をはっきりと見ることができる。さらに、装飾部２６の裏面側においては、メタリック塗膜３３の裏面に上塗り形成されているベース塗膜３２により、前記装飾部２６の運搬時等にメタリック塗膜３３が剥げ落ちるおそれはない。
【００２７】
なお、上記各実施形態は以下のような別例に変更して具体化してもよい。
・上記第１実施形態では、装飾部２６の表面には塗膜層３５のみが形成されていたが、図６に示すように、パチンコ球２１がよく通過する部位（図６においては例としてステージ２７を示す。）の表面に透光性を有する合成樹脂にて保護部材としての保護板３６を設けてもよい。このようにすれば、パチンコ球２１が頻繁に接触する部位において同パチンコ球２１が塗膜層３５に触れることはない。
【００２８】
・上記第１及び第２実施形態では、装飾部２６の表面若しくは裏面のどちらか一方に塗膜層３５を形成したが、図７に示すように、透光性の合成樹脂にて形成された装飾部２６の表面と裏面の両面に亘って塗膜層３５を形成してもよい。このようにした場合、装飾部２６の表面については、表面側からベース塗膜３２、メタリック塗膜３３、コーティング塗膜３４という順に塗膜層３５を上塗り形成し、装飾部２６の裏面については、裏面側からコーティング塗膜３４、メタリック塗膜３３、ベース塗膜３２という順に塗膜層３５を上塗り形成する。このようにすれば、たとえ装飾部２６の表面における塗膜層３５がパチンコ球２１の接触により剥がれたとしても、裏面の塗膜層３５によりメタリックの色合を見ることができる。また、両面全体でなくとも、図８に示すように、パチンコ球２１がよく接触し塗膜層３５が剥がれやすい部位（図８においては例としてステージ２７を示す。）にのみ裏面塗装してもよい。このようにすれば、塗膜層３５を形成する部位が少なくなるため、コストを減らすことができる。
【００２９】
・上記第２実施形態では、装飾部２６の裏面に塗膜層３５を形成して、前記装飾部２６と電飾基板２４を固定させるためのボス部２８を別部材にて形成したが、図９に示すように、ボス部２８を装飾部２６と一体形成して、その裏面に塗膜層３５を形成し、装飾部２６の表面におけるボス部２８の基端部と対応する部位に亘って塗膜層３５を形成してもよい。このようにすれば、いちいちボス部２８を別部材で設ける必要がない。
【００３０】
・上記第１及び第２実施形態では、装飾部２６の表面若しくは裏面にベース塗膜３２、メタリック塗膜３３及びコーティング塗膜３４からなる塗膜層３５が形成されていたが、図１０（ａ）及び図１１（ａ）に示すように、メタリック塗膜３３とコーティング塗膜３４にて、塗膜層３５を形成してもよい。装飾部２６の表面においては、図１０（ａ）に示すように、まずメタリック塗膜３３が形成され、その上にコーティング塗膜３４が上塗り形成される。そして、装飾部２６の裏面においては、図１１（ａ）に示すように、まずコーティング塗膜３４が形成され、その上にメタリック塗膜３３が上塗り形成される。このようにしても、金属のフレーク状粉末が含まれるメタリック塗膜３３により、装飾部２６を光沢感が得られたものにすることができる。さらに、装飾部２６の表面においては、コーティング塗膜３４によりメタリック塗膜３３が剥げ落ちることを抑制することができる。
【００３１】
・上記第１及び第２実施形態では、装飾部２６の表面若しくは裏面にベース塗膜３２、メタリック塗膜３３及びコーティング塗膜３４からなる塗膜層３５が形成されていたが、図１０（ｂ）及び図１１（ｂ）に示すように、メタリック塗膜３３とベース塗膜３２にて、塗膜層３５を形成してもよい。装飾部２６の表面においては、図１０（ｂ）に示すように、まずベース塗膜３２が形成され、その上にメタリック塗膜３３が上塗り形成される。そして、装飾部２６の裏面においては、図１１（ｂ）に示すように、まずメタリック塗膜３３が形成され、その上にベース塗膜３２が上塗り形成される。このようにしても、ベース塗膜３２により着色された色にメタリック塗膜３３の光輝性が重なり、見た目に金属調をだすことができる。さらに、装飾部２６の裏面においては、コーティング塗膜３４を形成しなくても、装飾部２６により塗膜層３５はパチンコ球２１の接触から保護され、メタリック塗膜３３が剥げることはない。
【００３２】
・上記第１及び第２実施形態では、装飾部２６の表面若しくは裏面にベース塗膜３２、メタリック塗膜３３及びコーティング塗膜３４からなる塗膜層３５が形成されていたが、図１０（ｃ）及び図１１（ｃ）に示すように、メタリック塗膜３３のみを装飾部２６の表面若しくは裏面に形成してもよい。このようにしても、装飾部２６を光沢感が得られたものにすることができる。
・上記第１及び第２実施形態では、塗膜層３５を形成する部位として、遊技盤１３における映像表示装置２０の装飾部２６に具体化したが、遊技盤１３上におけるランプ風車２２及び入賞器具２３等、若しくは図１２及び図１３に示すような上球皿カバー部材１５や窓枠１４の枠本体１４ａ等の合成樹脂にて形成されたどのような遊技機構成部材にでも具体化させてもよい。このように複数の遊技機構成部材に塗膜層３５を形成する場合においては、予め全て又は一部の遊技機構成部材を同色、同材質にしておくことで、各塗膜３２，３３，３４が除去された後の部材を溶融し、合成樹脂原材料として再成形する際に、再成形前と同色の新規部品として再利用することができる。
【００３３】
尚、図１２においては、上球皿カバー部材１５の表面に塗膜層３５が形成されており、図１３においては、枠本体１４ａの裏面に塗膜層３５が形成されているが、表面又は裏面に限ることなくどちらに形成してもよい。
【００３４】
・上記第１及び第２実施形態では、ベース塗膜３２及びメタリック塗膜３３並びにコーティング塗膜３４を形成するための塗料として、第１オレフィックス、第２オレフィックス及びソレフィックスを使用したが、前記塗料に限定することなく他の塗料にて、ベース塗膜３２及びメタリック塗膜３３並びにコーティング塗膜３４を形成してもよい。
【００３５】
・上記第１及び第２実施形態では、装飾部２６の表面若しくは裏面の全面に亘って塗膜層３５を塗布したが、一部のみでもよい。
・上記第１及び第２実施形態では、ベース塗膜３２に用いられる顔料は黒色であったが、黒色に限られることなくどの色を用いてもよい。
【００３６】
次に、上記実施形態及び各別例から把握できる請求項に記載した発明以外の技術的思想について、それらの効果と共に以下に記載する。
（１）請求項３に記載の遊技機構成部材において、前記塗装処理は、機表側から見た場合において機裏側方からベース塗膜、メタリック塗膜、コーティング塗膜という順で施されている遊技関連部材。このようにすれば、金属調の色合いがはっきりと且つきれいに機表側から見ることができる。
【００３７】
【発明の効果】
以上詳述したように、本発明によれば、メタリック塗膜が剥げることを確実に防止して、意匠的な高級感を維持すると共に、リサイクル性を向上させることができる。
【図面の簡単な説明】
【図１】第１実施形態におけるパチンコ機を略示する正面図。
【図２】同じく遊技盤を略示する正面図。
【図３】同じく映像表示装置を略示する正面図。
【図４】同じく装飾部を示す図３のＡ−Ａ線要部拡大断面図。
【図５】第２実施形態における装飾部を示す要部拡大断面図。
【図６】他の実施形態における装飾部を示す要部拡大断面図。
【図７】他の実施形態における装飾部を示す要部拡大断面図。
【図８】他の実施形態における装飾部を示す要部拡大断面図。
【図９】他の実施形態における装飾部を示す要部拡大断面図。
【図１０】（ａ）〜（ｃ）は他の実施形態における装飾部を示す要部拡大断面図。
【図１１】（ａ）〜（ｃ）は他の実施形態における装飾部を示す要部拡大断面図。
【図１２】他の実施形態における上球皿カバー部材を示す図１のＢ−Ｂ線要部拡大断面図。
【図１３】他の実施形態における窓枠を示す図１のＣ−Ｃ線要部拡大断面図。
【符号の説明】
２６…装飾部（遊技機構成部材、保護部材）、３２…ベース塗膜、３３…メタリック塗膜、３４…コーティング塗膜、３６…保護板（保護部材）。
【図１】
0004409690.tif 000002
【図２】
0004409690.tif 000003
【図３】
0004409690.tif 000004
【図４】
0004409690.tif 000005
【図５】
0004409690.tif 000006
【図６】
0004409690.tif 000007
【図７】
0004409690.tif 000008
【図８】
0004409690.tif 000009
【図９】
0004409690.tif 000010
【図１０】
0004409690.tif 000011
【図１１】
0004409690.tif 000012
【図１２】
0004409690.tif 000013
【図１３】
0004409690.tif 000014